(57)【特許請求の範囲】
【請求項１】
ボール形状をなす外殻と、前記外殻により形成される内部空間に配置された発火剤および発煙剤と、前記外殻の打撃に応じて前記発火剤を打撃可能とする突体と、前記外殻に設けられた噴煙開口部とを有してなることを特徴とする発煙ボール。
【請求項２】
噴煙開口部が１個である前記請求項１に記載の発煙ボール。
【請求項３】
突体が安全ピンを備える前記請求項１に記載の発煙ボール。
【請求項４】
グラウンドゴルフ用である前記請求項１から３のいずれかに記載の発煙ボール。
【発明の詳細な説明】
【０００１】
【産業上の利用分野】
この発明は発煙ボールに関し、さらに詳しくは、低コストで製造することができ、小さな打撃力で確実に発煙を起こし、グラウンドゴルフやゲートボールなどのスポーツのセレモニー等において好適に用いることができる発煙ボールに関する。
【０００２】
【従来の技術と発明が解決しようとする課題】
発煙ゴルフボールは、ゴルフコンペのセレモニー等における始球式に用いられている。従来の発煙ゴルフボールは、ゴルフボールの形状をなし、噴煙口が設けられた外殻と、前記外殻により形成される内部空間に配置された発火剤および発煙剤とを有してなる。たとえば図３に示すように、前記外殻１０は２つの半球体、すなわち第１半球体１０ａと第２半球体１０ｂとを、互いの接合部１０ｃ同士を嵌合することにより形成される。前記外殻１０には、その外周面と内周面とを貫通する噴煙口１１が複数形成されている。前記外殻１０により形成される内部空間１２は球状である。前記内部空間１２には、発火剤袋１３ａ内に充填された球状の発火剤１３と、発煙剤袋１４ａ内に充填され、前記発火剤袋１３の周囲を球状に覆ってなる発煙剤１４とが、収容されている。
【０００３】
従来の発煙ゴルフボールは、ゴルフクラブのヘッドで打撃されると、その衝撃により、内部の発火剤が発火する。この発火に伴い、発煙剤が発煙し、噴煙口から勢いよく煙が噴出する。その結果、発煙ゴルフボールは、煙を噴出しながら空中を飛んで行く。
【０００４】
しかしながら、このような従来の発煙ゴルフボールの場合、前記外殻１０がゴルフクラブのヘッドにより十分な力で強打されないと、内部に収容されている発火薬が発火するのに十分な衝撃力が得られず、その結果、発煙ゴルフボールが発煙しない等の問題がある。また、従来の発煙ゴルフボールは、グラウンドゴルフにおけるショットなどのように打撃力の小さなショットでは発煙させることができない。打撃力の小さなショットでも確実に発煙させるためには、発火剤の感度を向上させる手段も考えられるが、この場合、ボールの輸送中や取り扱い中における衝撃により誤作動するおそれがある。
【０００５】
この発明は、前記従来における問題を解決することを目的とする。さらにこの発明は、低コストで製造することができ、小さな打撃力で確実に発煙を起こし、グラウンドゴルフやゲートボールをはじめとする各種スポーツのセレモニー等において好適に用いることができる発煙ボールを提供することを目的とする。
【０００６】
【前記課題を解決するための手段】
前記課題を解決するためのこの発明は、ボール形状をなす外殻と、前記外殻により形成される内部空間に配置された発火剤および発煙剤と、前記外殻の打撃に応じて前記発火剤を打撃可能とする突体と、前記外殻に設けられた噴煙開口部とを有してなることを特徴とする発煙ボールである。
【０００７】
【作用】
この発明の発煙ボールは以下のように作用する。前記突体を打撃して、発煙ボールを飛ばし、または転がす。打撃された突体は前記発火剤に衝撃を与える。この衝撃により前記発火剤は発火する。この発火により前記発煙剤が発煙する。前記外殻により形成される内部空間に煙が充満する。前記噴煙開口部から煙が噴出する。その結果、発煙ボールは煙を噴出しながら飛び、または転がる。打球の軌跡は煙の線で描かれる。
【０００８】
【実施例】
（実施例１）
以下、この発明の発煙ボールの実施例について図面を参照しながら説明する。図１は、この発明の発煙ボールの一実施例を示す断面概略説明図である。
【０００９】
図１に示す発煙ボール１は、外殻２と、発火剤３と、発煙剤４と、噴煙開口部５と、突体６とを有してなる。
【００１０】
前記外殻２は、ボール形状をなす部材である。この実施例における前記ボールはグラウンドゴルフボールである。外殻２は、第１半球体２ａと第２半球体２ｂとによって形成されている。
【００１１】
前記第１半球体２ａは、グラウンドゴルフボールを半分に切断してなる形状を有し、球面状の凹陥部を有する。第１半球体２ａにおける前記切断による切断面には第２半球体２ｂと嵌合可能な接合部２ｃが形成されている。第１半球体２ａの外周面の中心部には、円筒形状の案内筒２ｅが形成されている。第１半球体２ａの外周面には、直径５ｍｍの噴煙開口部５が１つ形成されている。噴煙開口部５は、第１半球体２ａにおける外周面と内周面とを貫通している。噴煙開口部５は、アルミ箔などの膜（図示せず。）で閉塞されている。
【００１２】
前記第２半球体２ｂは、グラウンドゴルフボールを半分に切断してなる形状を有する。第２半球体２ｂにおける前記切断よる切断面の周縁部には第１半球体２ａと嵌合可能な接合部２ｃが形成されている。第２半球体２ｂの前記切断面の中心部には、前記発火剤３および発煙剤４を収容するための凹陥部２ｄが形成されている。この第２半球体２ｂと、前記第１半球体２ａとを互いに接合部２ｃ同士を嵌合させて固着することにより、外殻２は形成される。
【００１３】
前記発火剤３は、発火薬と細石または砂と接着剤とを有してなる。
【００１４】
この実施例における前記発火薬は、鉛丹と珪素鉄または珪砂鉄とを混合してなる赤テルである。この赤テルは、四三酸化鉛７０〜８０重量％と珪素鉄２０〜３０重量％とを約６０メッシュの篩で数回篩い、さらに約４０メッシュの篩で篩って混合することにより得る。実施例１における前記接着剤は、セルロイド酢酸アミール溶液である。
【００１５】
前記発火剤３の調製は、前記発火薬３１〜４１重量％と細石等５１〜６１重量％とセルロイド酢酸アミール溶液５〜１１重量％とを竹べら等で静かに混合し、前記細石等の表面に赤テルを均一に付着させ、これを乾燥させることにより行う。実施例１における発火剤３は、合成樹脂製の発火剤袋３ａ内に充填されて球状の発火剤３とされる。
【００１６】
前記発煙剤４は、塩素酸カリウムとミジン粉と澱粉と色剤とを有してなる。
【００１７】
実施例１における前記色剤は、煙を赤色にするピグメントレッド・１およびベージュバイオレット・１０である。
【００１８】
実施例１における発煙剤４は、塩素酸カリウム２３〜３３重量％とミジン粉３〜７重量％と澱粉９〜１５重量％とピグメントレッド・１の２５〜３５重量％とベージュバイオレット・１０の２０〜３０重量％とを、少量の水を加えて練り合わして調製される。この調製物は、約８メッシュの篩いに通されて造粒され、さらに粒度が整えられた後、約２０メッシュの篩いに通される。篩いに残った粒状物が発煙剤４として用いられ、合成樹脂製の発煙剤袋４ａ内に前記球状の発火剤３と共に充填される。このとき、発煙剤４は、発煙剤袋４ａ内において、前記球状の発火剤３が中心に位置するように前記球状の発火剤３の周りに充填されて、球状の発煙剤４とされる。
【００１９】
前記突体６は、円柱形状の棒状部材である。この棒状部材の外径は第１半球体２ａにおける案内筒２ｅの内径と同じ大きさである。このため、この棒状部材を前記案内筒２ｅ内に挿入すると、前記棒状部材の外周面と前記案内筒２ｅの内周面とが互いに摺動可能となる。突体６の一端には円盤形状の押圧部６ａが前記棒状部材と同軸に接続され、一体化されている。前記突体６において、前記棒状部材における前記押圧部６ａが接続されている側とは反対側の位置に、前記棒状部材の中心軸と直交する貫通孔６ａが形成されている。実施例１における突体６は、プラスチック製である。
【００２０】
実施例１の発煙ボール１は以下のようにして組み立てられる。突体６における棒状部材の一端が第１半球体２ａの外周面を貫通するように、突体６における棒状部材を第１半球体２ａにおける案内筒２ｅ内に挿入する。前記球状の発煙剤４を第２半球体２ａにおける凹陥部２ｄ内に収容し、接着剤で軽く固着する。突体６が挿入された第１半球体２ａと、球状の発煙剤４が収容された第２半球体２ｂとを、互いの接合面２ｃ同士を嵌合させ、接着剤で固着する。以上により、発煙ボール１が得られる。
【００２１】
発煙ボール１においては、前記球状の発煙剤４と突体６の押圧部６ａとが接しており、このとき突体６の一端は、第１半球体２ａの外周面より外部に突出し、前記突体６における貫通孔６ａが外部に露出する。この貫通孔６ａには安全ピン７が挿入される。前記安全ピン７は、割ピンに引環を取付けたものである。安全ピン７は、突体６を挟み込むように、かつ、その割ピンの一方が前記貫通孔６ａを貫通するようにして、突体６に装着される。なお、発煙ボール１においては、その重心が球心に一致するように設計され、各部材の重量が計算されている。
【００２２】
実施例１の発煙ボール１は、たとえば以下のように使用することができる。発煙ボール１から安全ピン７を取り外す。発煙ボール１をティー上に載せる。このとき、発煙ボール１から突出する突体６の端部が、スイングされるグラウンドゴルフクラブのヘッドに打撃されるように、発煙ボール１をティー上に位置させる。グラウンドゴルフクラブをスイングし、グラウンドゴルフクラブのヘッドで前記突体６を打撃して、発煙ボール１を飛ばし、または転がす。打撃された突体６は押圧部６ａを介して前記発火剤３に衝撃を与える。この衝撃により前記発火剤３は瞬時に発火する。この発火により前記発煙剤４が発煙する。前記外殻２により形成される内部空間に煙が充満する。この充満する煙の圧力で噴煙開口部５を閉塞するアルミ箔などの膜が破られる。噴煙開口部５から煙が噴出する。その結果、発煙ボール１は煙を噴出しながら飛び、または転がる。発煙ボール１の軌跡は煙の線で描かれる。
【００２３】
実施例１の発煙ボール１は、突体６を打撃するだけで確実に発煙を起こさせることができるので、発煙を起こすのに大きな打撃力を必要とせず、発煙が生じないという問題はない。したがって、この実施例の発煙ボール１は、華やかな雰囲気の中で行われるグラウンドゴルフトーナメントのセレモニー等において好適に使用することができる。また、この実施例の発煙ボール１は、発火剤３および発煙剤４を多量に必要としないので、低コストでかつ簡便に製造することができる。また、突体６が設けられているので、通常のグラウンドゴルフボールとは外観上明瞭に相違し、このため間違って競技中に発煙ボールをショットするおそれもない。さらに、安全ピン７が設けられているので、発煙ボール１を輸送中、あるいは取り扱い中に誤って突体６を打撃しても、突体６は発煙剤４へ移動することができず、発煙剤４が誤作動により発煙することがない。すなわち、使用前における誤作動による発煙を確実に防止することができる。
【００２４】
（実施例２）
図２は、この発明の発煙ボールの他の実施例を示す断面概略説明図である。
【００２５】
図２に示す発煙ボール１は、前記実施例１における発煙ボール１において、噴煙開口部５が設けられていない点、および突体６が筒体に形成され、前記貫通孔６ａが設けられた側の端面開口部に、この端面開口部を閉塞するアルミ箔膜が設けられ、押圧部６ａに金網６ｂが設けられた点を除き、前記実施例１における発煙ボール１と同様である。したがって、この発煙ボール１においても、原則として前記実施例１の発煙ボール１と同様の効果を奏する。しかし、上記構成の相違から以下の点で相違する。
【００２６】
発煙ボール１から安全ピン７を取り外した後、発煙ボール１における突体６を打撃して、発煙ボール１を飛ばし、または転がす。打撃された突体６は前記発火剤３に衝撃を与える。この衝撃により前記発火剤３は瞬時に発火する。この発火により前記発煙剤４が発煙する。前記外殻２により形成される内部空間に煙が充満する。それと同時に突体６における内部空間にも煙が充満する。この充満する煙の圧力で突体６における端面開口部を閉塞するアルミ箔膜が破られる。突体６における端面開口部から煙が噴出する。その結果、発煙ボール１は煙を噴出しながら飛び、または転がる。発煙ボール１の軌跡は煙の線で描かれる。このとき、突体６における押圧部６ａには金網６ｂが設けられているので、未燃の発火剤３や発煙剤４が発煙ボール１の外部に放出されたり、発火剤３および発煙剤４の燃焼による炎が発煙ボール１の外部に噴出されることがない。このため、実施例２の発煙ボール１は安全性が高い。
【００２７】
（変形例）
この発明は、前記実施例に何ら限定されるものではなく、この発明の目的を害しない限り、適宜の変更を加えることができる。たとえば、前記実施例における発煙ボール１に以下のような変更を加えることができる。
【００２８】
前記外殻２により形成されるボールは、前記実施例におけるグラウンドゴルフボールに限られず、ゲートボール、ホッケー用ボール等の各種球技に用いられるボールを挙げることができる。これらの中でも、グラウンドゴルフボールやゲートボールが好ましく、特にグラウンドゴルフボールが好ましい。
【００２９】
前記外殻２は、１つの部材で形成しても良いし、あるいは２つ以上の部材により形成しても良く、目的に応じて適宜選択することができるが、２つの部材により形成すると製造が容易になる点で好ましい。なお、２つ以上の部材で形成する場合、これらを互いに接着剤により接合しても良いし、螺合、嵌合等させることのみで一体化させても良い。
【００３０】
前記外殻２の内部形状としては、発火剤３および発煙剤４を収容することができる空間を確保することができる限り特に制限はなく、使用する発火剤３および発煙剤４、目的等に応じて適宜選択することができる。前記実施例におけるように凹陥部を有する内部形状を有する場合には、発火剤３および発煙剤４を安定した状態で内部に保持することができ、また、これらを突体６により確実に打撃することができる点で有利である。
【００３１】
前記外殻２に形成する噴煙開口部５は、発煙ボール１内に充満する煙を外部に噴出することができる機能を有していれば、その形状、数量、構造等につき特に制限はなく、目的に応じて適宜選択することができる。
【００３２】
前記噴煙開口部５は、前記機能を阻害しない限り、その表面が紙、アルミ箔等の薄膜で閉塞されていても良い。この場合、発煙ボール１内に、湿気、不純物や液体が混入するのを防止することができる点で有利である。
【００３３】
前記噴煙開口部５の大きさとしては、通常３〜７ｍｍであり、好ましくは４〜５ｍｍである。噴煙開口部５が前記範囲内にあると発火剤および発煙剤のロスが少なく、これらの使用量を少量にすることができる点で有利である。
【００３４】
前記噴煙開口部５の数としては、通常１個以上であり、好ましくは１〜２個であり、特に１個であるのが好ましい。噴煙開口部５の数が特に１個であると、多量の発煙剤４を必要としないので、低コストで発煙ボールを製造することができ有利である。
【００３５】
前記発火剤３としては、前記実施例で用いた赤テルと細石等と接着剤との組み合わせに限られず、目的に応じて適宜選択することができるが、調製が容易であり、コスト等の点で前記組み合わせによる発火剤が有利である。
【００３６】
前記赤テルは、一般に、四三酸化鉛７０〜８０重量％と珪素鉄２０〜３０重量％とを適宜選択した篩で数回篩った後に混合することにより得られる。前記接着剤としては、たとえばセルロイド酢酸アミール溶液、ニトロセルロース溶液などを挙げることができる。
【００３７】
前記発火剤３の調製は、一般に、赤テル３１〜４１重量％と細石等５１〜６１重量％と接着剤５〜１１重量％とを竹べら等で静かに混合し、前記細石等の表面に赤テルを均一に付着させ、これを乾燥させることにより行うことができる。
【００３８】
なお、発火剤３の形状は、球状に限られず、目的に応じて種々の形状にすることができる。
【００３９】
前記発火剤袋３ａとしては、特に制限はなく、目的に応じてその大きさ、形状等を選択することができる。前記発火剤袋３ａは、前記実施例においては合成樹脂製であるが、布製、紙製等であっても良い。
【００４０】
前記発煙剤４としては、前記実施例で用いた塩素酸カリウムとミジン粉と澱粉と色剤との組み合わせに限られず、目的に応じて適宜選択することができるが、調製が容易であり、コスト等の点で前記組み合わせによる発煙剤が有利である。
【００４１】
前記色剤としては、以下のものを好適に挙げることができる。赤色煙の場合には、ピグメントレッド・１、ベージュバイオレット・１０、パラレッド、オイルレッド、ローダミンなどを挙げることができる。これらの中でも、ピグメントレッド・１とベージュバイオレット・１０との組み合わせが好ましい。青色煙の場合には、ピグメントブルー・１５、バットブルー、フタロシアニンブルー、インジゴどを挙げることができる。これらの中でも、ピグメントブルー・１５とバットブルーとの組み合わせが好ましい。黄色煙の場合には、オイルイエローなどを挙げることができる。黒色煙の場合には、アントラセン、過塩素酸カリウムなどを挙げることができる。
【００４２】
なお、発煙剤４の形状としては、球状に限られず、目的に応じて種々の形状にすることができる。
【００４３】
前記発煙ボール１から噴出される煙の色は、前記色剤に応じて変化する。このため、前記色剤は目的に応じて適宜選択することができ、場合によっては２種以上組み合わせて用いても良い。
【００４４】
前記発煙剤４は、一般に、塩素酸カリウム２３〜３３重量％と、ミジン粉３〜７重量％と、澱粉９〜１５重量％と、色剤４５〜５５重量％とを、少量の水を加えて練り合わして調製される。この調製物は、適宜選択した篩いに通されて造粒することができる。
【００４５】
前記発煙剤袋４ａとしては、特に制限はなく、目的に応じてその大きさ、形状等を選択することができる。前記発煙剤袋４ａは、前記実施例においては合成樹脂製であるが、布製、紙製等であっても良い。
【００４６】
前記発火剤３および前記発煙剤４の使用量は、ボールの種類、発煙ボール１の飛距離、発煙ボール１の大きさ、凹陥部の大きさなどに応じて適宜決定することができる。
【００４７】
前記発火剤３と前記発煙剤４との重量比としては、たとえば７：３〜７：５であり、好ましくは７：４である。前記重量比が前記範囲内にあると発火剤３が確実に発火し、十分な発煙量が得られる点で有利である。
【００４８】
前記突体６は、発煙ボール１を打撃することにより、ボール形状をなす外殻２により形成される内部空間に配置された発火剤３を打撃可能とする機能を有する限りその形状、構造および材質等について特に限定がないのであるが、前記実施例１および２に示されるように、ボール形状をなす外殻２を貫通し、その一端を外殻２より突出させ、その他端を内部空間に配置されている発火剤３に臨ませるように配置された棒状体であるのが好ましい。その棒状体の断面形状についても限定がないのであるが、製造の容易性等を考慮すると断面円形の棒状体が好ましい。
【００４９】
前記突体６の変形例として、たとえばボール形状の外殻２の内壁面に装着された重量体であり、前記外殻２を打撃するとその打撃による運動量が前記重量物に伝達され、その運動量をもって外殻内で発火剤に向かって突進するように仕組まれたものであっても良い。
【００５０】
また、前記突体６としては、前記実施例１および２におけるように押圧部６ａを設けても良い。前記押圧部６ａを設けると、確実に前記発火剤３を打撃することができ、突体６が脱落せず、未燃焼の発火剤３や発煙剤４が外部に放出されない点で有利である。
【００５１】
前記押圧部６ａを設ける場合、その大きさ、形状、構造等については特に制限はなく、目的に応じて適宜選択することができるが、発煙弾との接触面積が大きい方が、発火剤３に均一に衝撃力を付与することができるので好ましい。
【００５２】
前記突体６の材質としては特に制限はなく、目的に応じて適宜選択することができるが、燃えにくく、打撃力に耐え得るプラスチック製などが好ましい。また、突体６が案内筒２ｅ内を円滑に摺動することができるようにするため、突体６と案内筒２ｅとを互いに摩擦係数の小さい材料で形成するか、両者の表面に潤滑油等を塗布しておいても良い。この場合、より小さな打撃力で発煙を確実に生じさせることができる点で有利である。
【００５３】
この発明の発煙ボールは、低コストで製造することができ、小さな打撃力で確実に発煙を起こし、グラウンドゴルフやゲートボールなどをはじめとする各種スポーツのセレモニー等において好適に用いることができる。
【００５４】
【発明の効果】
この発明によると、低コストで製造することができ、小さな打撃力で確実に発煙を起こし、グラウンドゴルフやゲートボールなどをはじめとする各種スポーツのセレモニー等において好適に用いることができる発煙ボールを提供することができる。さらに、発煙ボールに安全ピンを設けると、輸送中や取り扱い中に誤って衝撃を加えても誤作動を生ずることのない、安全な発煙ボールを提供することができる。
【図面の簡単な説明】
【図１】図１は、この発明の発煙ボールの一実施例を示す断面概略説明図である。
【図２】図２は、この発明の発煙ボールの他の実施例を示す断面概略説明図である。
【図３】図３は、従来の発煙ボールの一例を示す断面概略説明図である。
【符号の説明】
１・・・発煙ボール、２・・・外殻、２ａ・・・第１半球体、
２ｂ・・・第２半球体、２ｃ・・・接合部、２ｄ・・・凹陥部、
２ｅ・・・案内筒、３・・・発火剤、３ａ・・・発火剤袋、４・・・発煙剤、
４ａ・・・発煙剤袋、５・・・噴煙開口部、６・・・突体、
６ａ・・・押圧部、７・・・安全ピン、１０・・・外殻、
１０ａ・・・第１半球体、１０ｂ・・・第２半球体、１０ｃ・・・接合部、
１１・・・噴煙口、１２・・・内部空間、１３・・・発火剤、
１３ａ・・・発火剤袋、１４・・・発煙剤、１４ａ・・・発煙剤袋、
【図１】
0003696934.tif 000002
【図２】
0003696934.tif 000003
【図３】
0003696934.tif 000004